(57)【特許請求の範囲】
【請求項１】
歯科診療椅子、ドクターテーブル、ドクターカート、アシスタントハンガ、スピットン、診療用無影灯それぞれの単体、あるいは前記単体の何れかの組み合わせにて構成される歯科診療ユニットを診療のために任意の位置に移動する歯科診療ユニット用移動手段と、診療後に前記歯科診療ユニットを移動して収納する収納キャビネット及び当該収納キャビネットを移動する収納キャビネット用移動手段とを有し、前記歯科診療ユニットを収納した収納キャビネットを当該収納キャビネットに備える収納キャビネット用移動手段を介して移動することにより多目的空間を構成するフレキシブル歯科診療設備において、
前記収納キャビネット用移動手段を有する収納キャビネットの少なくとも1面に放射線防護壁を設けると共に、レントゲンあるいはＣＴ等の放射線撮影装置を配設する放射線防護室の1面及び/または前記収納キャビネットの放射線防護壁を、水平方向に開閉する開き扉にて形成して成り、前記放射線防護室側に前記収納キャビネットを移動し、当該収納キャビネットの前記放射線防護壁を、前記放射線防護室の開放した開き扉の開放端部に当接させあるいは当該収納キャビネットの前記開き扉と前記放射線防護室の開き扉の開放した開き扉の開放端部相互を当接させることにより放射線防護室を拡張することを特徴とするフレキシブル歯科診療設備。
【請求項２】
前記放射線防護室の1面に開閉自在な開き扉を形成し、一方、前記収納キャビネットの1面に放射線防護壁を形成して成り、開放した前記開き扉の開放端部に、前記収納キャビネットの放射線防護壁面を当接させることにより放射線防護室を拡張し、また閉止した前記開き扉の面に前記収納キャビネットの放射線防護壁面を当接させることにより前記放射線防護室を縮小する拡縮自在な放射線防護室を構成することを特徴とする請求項１記載のフレキシブル歯科診療設備。
【請求項３】
前記収納キャビネットの１面および放射線防護室の１面に開閉自在な放射線防護壁からなる開き扉を形成して成り、前記双方の開き扉を開いてそれぞれの開放端部相互を当接させることにより放射線防護室を更に拡張し、また閉止した開き扉の面相互を当接させることにより放射線防護室を縮小する拡縮自在な放射線防護室を構成することを特徴とする請求項１記載のフレキシブル歯科診療設備。
【請求項４】
歯科診療椅子、ドクターテーブル、ドクターカート、アシスタントハンガ、スピットン、診療用無影灯それぞれの単体、あるいは前記単体の何れかの組み合わせにて構成される歯科診療ユニットを診療のために任意の位置に移動する歯科診療ユニット用移動手段と、診療後に前記歯科診療ユニットを移動して収納する収納キャビネット及び当該収納キャビネットを移動する収納キャビネット用移動手段とを有し、
前記歯科診療ユニットを収納した収納キャビネットを当該収納キャビネットに備える収納キャビネット用移動手段を介して移動することにより多目的空間を構成するフレキシブル歯科診療設備において、
前記収納キャビネット用移動手段を有する収納キャビネットの少なくとも1面に放射線防護壁を設けると共に、レントゲンあるいはＣＴ等の放射線撮影装置を配設する放射線防護室の1面を開放し、一方、前記収納キャビネットの1面に放射線防護壁からなる開き扉を形成して成り、前記開き扉を開放した開放端部を前記放射線防護室の開放端部に当接させることにより放射線防護室を拡張し、また閉止した前記開き扉の面を前記放射線防護室の開放端部に当接させることにより前記放射線防護室を縮小する拡縮自在な放射線防護室を構成することを特徴とするフレキシブル歯科診療設備。
【請求項５】
歯科診療椅子、ドクターテーブル、ドクターカート、アシスタントハンガ、スピットン、診療用無影灯それぞれの単体、あるいは前記単体の何れかの組み合わせにて構成される歯科診療ユニットを診療のために任意の位置に移動する歯科診療ユニット用移動手段と、診療後に前記歯科診療ユニットを移動して収納する収納キャビネット及び当該収納キャビネットを移動する収納キャビネット用移動手段とを有し、前記歯科診療ユニットを収納した収納キャビネットを当該収納キャビネットに備える収納キャビネット用移動手段を介して移動することにより多目的空間を構成するフレキシブル歯科診療設備において、
前記収納キャビネット用移動手段を有する収納キャビネットの１面に放射線防護壁を形成し、一方、放射線防護室の１面を開放すると共に当該放射線防護室の左右両側面に該側面に沿って進退動する放射線防護壁からなるスライド扉を設けて成り、該スライド扉を前進させてその開放端部に前記収納キャビネットの放射線防護壁面を当接させることにより放射線防護室を拡張し、また前記スライド扉を後退させると共に放射線防護室内に収納した放射線防護室の開放端部に前記収納キャビネットの放射線防護壁面を当接させることにより放射線防護室を縮小する拡縮自在な放射線防護室を構成することを特徴とするフレキシブル歯科診療設備。
【請求項６】
歯科診療椅子、ドクターテーブル、ドクターカート、アシスタントハンガ、スピットン、診療用無影灯それぞれの単体、あるいは前記単体の何れかの組み合わせにて構成される歯科診療ユニットを診療のために任意の位置に移動する歯科診療ユニット用移動手段と、診療後に前記歯科診療ユニットを移動して収納する収納キャビネット及び当該収納キャビネットを移動する収納キャビネット用移動手段とを有し、前記歯科診療ユニットを収納した収納キャビネットを当該収納キャビネットに備える収納キャビネット用移動手段を介して移動することにより多目的空間を構成するフレキシブル歯科診療設備において、
前記収納キャビネット用移動手段を有する収納キャビネットの少なくとも1面に放射線防護壁を設けると共に、レントゲンあるいはＣＴ等の放射線撮影装置を配設する放射線防護室を診療室の壁面に沿って設けると共に該放射線防護室の１面を開放し、一方、複数の前記収納キャビネットを放射線防護室の開放面に沿って移動可能に配置すると共に、複数の収納キャビネットのうち隣接する収納キャビネットの対向面それぞれに放射線防護壁を設け、更に前記複数の収納キャビネットの左右いずれかの片側面に沿ってスライドしつつ進退動する放射線防護壁からなるスライド扉を設けて成り、前記隣接する収納キャビネットの放射線防護壁端部を前記放射線防護室の開放端部に当接させると共に、前記双方のスライド扉を対向して前進させることにより放射線防護室を拡張し、また前記スライド扉を後退させると共に複数の収納キャビネットを一方に寄せることにより放射線防護室を縮小する拡縮自在な放射線防護室を構成することを特徴とするフレキシブル歯科診療設備。
【請求項７】
拡縮自在な放射線防護室を構成する前記収納キャビネットに滅菌、殺菌、消毒の１ないし複数の除菌手段を搭載したことを特徴とする請求項１乃至６記載のフレキシブル歯科診療設備。
【請求項８】
前記歯科診療ユニットの歯科診療ユニット用移動手段が、歯科診療ユニットを搭載して移動する台板と、該台板に設けられたキャスタから成ることを特徴とする請求項１乃至６記載のフレキシブル歯科診療設備。
【請求項９】
前記収納キャビネットが、歯科診療ユニットのバックレストやレッグレストを折り畳んで収納キャビネットの収納部に収納することを特徴とする請求項１乃至６記載のフレキシブル歯科診療設備。
【請求項１０】
前記レントゲンあるいはＣＴ等の放射線撮影装置を、台板を介して移動可能に構成したことを特徴とする請求項１乃至６記載のフレキシブル歯科診療設備。
【発明の詳細な説明】
【技術分野】
【０００１】
本発明は、歯科診療室の設備である放射線撮影室に関し、特に拡縮可能な放射線撮影室を備えるフレキシブル歯科診療設備に関する。
【背景技術】
【０００２】
従来、歯科診療室の設備である放射線撮影室は歯科診療ユニットから離れた位置に備えられているのが一般的である。
【０００３】
しかしながら、前記従来の放射線撮影室は歯科診療ユニットから離れた位置に備えられているために、撮影の際に患者は一旦診療椅子から降りて離れた位置の放射線撮影室まで移動しなければならなかった。
【発明の開示】
【発明が解決しようとする課題】
【０００４】
解決しようとする問題点は、放射線防護室は放射線撮影に使用される時間がごく僅かであるのに診療室内の広い空間を占有しているために、診療スペースが手狭になっていることと、放射線撮影をする際に患者が診療椅子から降りて放射線撮影室まで移動しなければならない点である。
【課題を解決するための手段】
【０００５】
本発明は撮影以外の時間に、診療空間を拡張して多目的空間として有効利用できるようにするために、また放射線撮影室に患者が歯科診療ユニットに着座したまま放射線撮影ができるようにするために放射線撮影室を拡縮自在に構成したことを特徴とする。
【発明の効果】
【０００６】
本発明のフレキシブル歯科診療設備は、放射線防護壁にて形成された放射線撮影室を拡縮自在に構成したことにより、放射線撮影時以外は放射線撮影装置を最小に折り畳んで放射線防護室内に収納し放射線防護室を縮小して多目的空間を構成し、あるいは診療空間を拡張することができる。また放射線撮影室内の放射線撮影装置に近い位置に歯科診療ユニットを移動して配置することにより、患者が診療椅子に着座したまま放射線撮影装置の撮影位置まで僅か移動するだけで撮影することが可能となる。これにより例えばインプラント治療などで、患者を着座させたままインプラントの埋入状態をそのつど放射線撮影装置で確認しながら治療することができると同時に、撮影部位を同じ撮影アングルで撮影することが可能となるため、撮影診断精度を格段に向上させることができる。しかも診療後は歯科診療ユニットを収納キャビネットに収納して移動し、多目的空間を構成することができるという利点がある。
【発明を実施するための最良の形態】
【０００７】
患者が歯科診療ユニットに着座したままで診療椅子を放射線撮影装置の撮影位置まで移動して撮影することと、歯科診療ユニットを収納キャビネットに収納して移動することにより多目的空間を構成するという目的を、収納キャビネットに放射線防護壁を設け、この放射線防護壁にて放射線撮影室を拡縮自在に構成することにより実現した。
【実施例１】
【０００８】
図１から図３は、本発明の実施例１を示し、図１は放射線撮影室を縮小した状態を示すフレキシブル歯科診療設備の平面図、図２は放射線撮影室を拡張した状態を示すフレキシブル歯科診療設備の平面図、図３（ａ）、（ｂ）は収納キャビネットに歯科診療ユニットを収納する場合の説明図、図３（ｃ）、（ｄ）は収納キャビネットより移動して使用する場合の説明図である。
本発明のフレキシブル歯科診療設備は、歯科診療椅子、ドクターテーブル、ドクターカート、アシスタントハンガ、スピットン、診療用無影灯、それぞれの単体、あるいは前記単体の何れかの組み合わせにて構成される歯科診療ユニットを診療のために任意の位置に移動する歯科診療ユニット用移動手段と、診療後に前記歯科診療ユニットを移動して収納する収納キャビネット及び当該収納キャビネットを移動する収納キャビネット用移動手段とを有し、前記歯科診療ユニットを収納した収納キャビネットを当該収納キャビネットに備える収納キャビネット用移動手段を介して移動することにより多目的空間を構成する。そして特に本実施例では、図1に示すようにキャスタ（図３にて示すキャスタ１５）等の移動手段にて移動可能に構成された収納キャビネット１Ａの背面に放射線防護壁2を設け、一方、放射線防護壁3にて囲まれたレントゲンあるいはＣＴ等の放射線撮影装置4を配設する放射線防護室5の前側面に水平方向に開閉自在な開き扉6を設ける。なお放射線撮影装置4は歯科用パノラマ撮影装置を例示したが、これは図示しないX線発生装置と、被写体を通過したX線像を検出する図示しないX線撮像器とを対向配置したアームを患者頭部のまわりに旋回させつつ撮影するものである。
【０００９】
上記構成のフレキシブル歯科診療設備は、図1に示すように放射線撮影装置4を使用しない場合は当該装置４を最小に折り畳んで放射線防護室5内に収納し、開き扉６ａ、６ｂを閉止することにより放射線防護室5を縮小することができると共に、閉止面に収納キャビネット１Ａの放射線防護壁2の背面を当接させ、更に他の複数の収納キャビネット１Ｂ，１Ｃも放射線防護室5側に寄せることにより診療室内に多目的空間を構成することができる。
【００１０】
また図2に示すように放射線撮影装置4を使用する場合は、放射線防護室5の開き扉６ａ、６ｂを開いて、その開放端部に、収納キャビネット１Ａに設けられた放射線防護壁2の背面を当接させることにより放射線防護室5を拡張することができ、広い室内空間にて放射線撮影をすることが可能となる。更に他の複数の収納キャビネット１Ｂ，１Ｃを移動して所望の間隔を保つことにより多目的エリアを構成することができる。例えば放射線撮影日時を指定することで、容易に診療空間の有効活用ができる。
【００１１】
さらに、実施例における歯科診療ユニット8は、台板14に搭載し、当該台板１４に設けたキャスタ15により移動することが可能に構成されており、また歯科診療ユニット8の収納キャビネット1への収納に際しては図３（ａ）、（ｂ）に示すようにバックレスト10を垂直に起こし、レッグレスト11を垂直に下げ、または折り畳み、ドクターテーブル12やインスツルメントハンガ13などを収納キャビネット1の幅内に収めて収納する。また診療に際しては図３（ｃ）、（ｄ）に示すように歯科診療ユニット8を台板１４のキャスタ１５を介して診療位置に移動し、バックレスト10やレッグレスト11を所定の位置にチルトし、ドクターテーブル12やインスツルメントハンガ13などを回動して診療態勢にする。なお収納キャビネット１Ａ〜１Ｃは、床面１６の左右両側部にキャスタ１７を取り付け移動し得るように構成したものである。そして歯科診療ユニット8の歯科診療ユニット用移動手段は台板14とキャスタ15に限らず摺動または浮上など各種移動手段を設けることができる。なお歯科診療ユニットの収納方向は如何なる方向でもよく、図４に示すようにバックレスト10を前傾させ折り畳んでキャビネット1の奥壁面に対向させた状態で収納してもよい。また上記各実施例において拡縮自在に形成する放射線防護室は、キャビネットの上端に水平方向の放射線防護壁から成るスライド扉を設けて天井をスライド扉にて覆い、更に床面を放射線防護床にすることにより放射線が防護された密閉空間を形成することができる。
【実施例２】
【００１２】
図４から図６は本発明の実施例２を示し、図４は放射線防護室を縮小した状態を示すフレキシブル歯科診療設備の平面図、図５は放射線防護室を拡張した状態を示すフレキシブル歯科診療設備の平面図、図６は放射線防護室内での放射線撮影状態を示すフレキシブル歯科診療設備の平面図である。
本実施例では、図４に示すように放射線防護壁3にて囲まれた放射線防護室5の前面が開放されており、一方、収納キャビネット１Ａは全面が放射線防護壁2にて形成され、かつ放射線防護壁2の前面が開き扉７ａ、７ｂにて形成されている。その他の構成は実施例１と同一の構成から成り、図中同一番号を付して説明は省略する。
【００１３】
上記構成のフレキシブル歯科診療設備は、図４に示すように放射線撮影装置4を使用しない場合は該装置を最小に折り畳み、一方、収納キャビネット1の開き扉７ａ、７ｂを閉止して閉止面を放射線防護室5の開放端部に当接させることにより診療室を縮小することができ、更に他の複数の収納キャビネット１Ｂ，１Ｃも放射線防護室5側に寄せることにより診療室内に多目的空間を構成することができる。
【００１４】
また図５に示すように放射線撮影装置4を使用する場合は、収納キャビネット１Ａの開き扉７ａ、７ｂを開いて、その開放端部を放射線防護室5の開放端部に当接させることにより放射線防護室5を拡張することができ、拡張した広い放射線防護室5内で放射線撮影および診療をすることが可能となる。更に図５に示すように他の複数の収納キャビネット１Ｂ，１Ｃを移動して所望の間隔を保つことにより多目的エリアを構成することができる。しかも図６に示すように患者が歯科診療ユニット8の診療椅子に着座したままの状態にて前記歯科診療ユニット８の台板１４のキャスタ１５を介して矢印方向の放射線撮影装置4側に僅か移動するだけで放射線撮影をすることが可能になる。またレントゲンあるいはＣＴ等の放射線撮影装置4を、図示しない台板を介して移動可能に構成することにより放射線撮影装置4を歯科診療ユニット8側に移動して放射線撮影することができ、放射線防護室5内で歯科診療ユニット8との対応が容易になる。
【実施例３】
【００１５】
図７および図８は本発明の実施例３を示し、図７は放射線防護室を縮小した状態を示すフレキシブル歯科診療設備の平面図、図８は放射線防護室を拡張した状態を示すフレキシブル歯科診療設備の平面図である。
本実施例では、図７に示すように放射線防護壁3にて囲まれた放射線防護室5の前面と、放射線防護壁３からなる収納キャビネット１Ａの前面に水平方向に開閉する開き扉６ａ，６ｂおよび７ａ，７ｂが設けられている。その他の構成は実施例１と同一の構成から成り、図中同一番号を付して説明は省略する。
【００１６】
上記構成のフレキシブル歯科診療設備は、図７に示すように放射線撮影装置4を使用しない場合は該装置を最小に折り畳んで放射線防護室５内に収納して開き扉６ａ，６ｂを閉止し、一方、収納キャビネット１Ａの開き扉７ａ，７ｂも閉止して双方の開き扉６ａ，６ｂおよび７ａ，７ｂの閉止面を当接させることにより診療室を縮小することができ、更に他の複数の収納キャビネット１Ｂ，１Ｃも放射線防護室5側に寄せることにより診療室内に多目的空間を構成することができる。
【００１７】
また図８に示すように放射線撮影装置4を使用する場合は、放射線防護室5および収納キャビネット１Ａの開き扉６ａ，６ｂおよび７ａ，７ｂを開いて、それぞれの開き扉６ａ，６ｂおよび７ａ，７ｂの開放端部相互を当接させることにより放射線防護室5を拡張することができ、拡張した広い放射線防護室5内で放射線撮影および診療をすることができる。
【実施例４】
【００１８】
図９および図１０は本発明の実施例４を示し、図９は放射線防護室を縮小した状態を示すフレキシブル歯科診療設備の平面図、図１０は放射線防護室を拡張した状態を示すフレキシブル歯科診療設備の平面図である。
本実施例では、図９に示すように収納キャビネット１Ａの背面に放射線防護壁２を形成し、一方、放射線防護壁3にて囲まれた放射線防護室5の前面を開放すると共に左右両側壁３ａ，３ｂの内側に、該両側面に沿って進退動する放射線防護壁からなるスライド扉１８ａ，１８ｂが設けられている。その他の構成は実施例１と同一の構成から成り、図中同一番号を付して説明は省略する。
【００１９】
この構成のフレキシブル歯科診療設備は、放射線撮影装置4を使用する場合は図１０に示すように、スライド扉１８ａ，１８ｂを矢印方向に前進させ、その開放端部に収納キャビネット１Ａの放射線防護壁２面を当接させることにより放射線防護室を拡張し、更に他の複数の収納キャビネットを移動して所望の間隔に保つことにより多目的エリアを構成することができる。
【００２０】
また図９に示すように放射線撮影装置4を使用しない場合はスライド扉１８ａ，１８ｂを後退させると共に放射線撮影装置4を放射線防護室5内に収納し、放射線防護室5の前面開放部に収納キャビネット１Ａの放射線防護壁2の背面を当接させることにより放射線防護室5を縮小することができ拡縮自在な放射線防護室５を構成することが可能となる。更に他の複数の収納キャビネット１Ｂ，１Ｃも放射線防護室5側に寄せることにより診療室内に多目的空間を構成することができる。
【実施例５】
【００２１】
図１１および図１２は本発明の実施例５を示し、図１１は放射線防護室を縮小した状態を示すフレキシブル歯科診療設備の平面図、図１２は放射線防護室を拡張した状態を示すフレキシブル歯科診療設備の平面図である。
本実施例では、図１１に示すように  放射線防護室5を診療室の壁面に沿って設けると共に該放射線防護室5の前面を開放し、一方、複数の収納キャビネット１Ａ，１Ｂを放射線防護室５の前面開放面に沿って移動可能に配置すると共に、複数収納キャビネット1のうち隣接する２台の収納キャビネット１Ａ，１Ｂの対向背面それぞれに放射線防護壁3a,3bが設けられ、更に両収納キャビネット１Ａ，１Ｂの右側壁３ｃ、３ｄ面に沿ってスライドしつつ進退動する放射線防護壁からなるスライド扉１９ａ，１９ｂ，１９ｃが設けられている。その他の構成は実施例１と同一の構成から成り、図中同一番号を付して説明は省略する。
【００２２】
この構成のフレキシブル歯科診療設備は、放射線撮影装置4を使用する場合は図１２に示すように、放射線防護室5の開放端部に収納キャビネット１Ａ，１Ｂをキャスタ１５を介して、図１１の矢印方向にそれぞれ移動し、それぞれの放射線防護壁3a,3bの端部を当接させると共に、スライド扉１９ａ，１９ｂ，１９ｃをそれぞれ図１２の矢印方向に対向して前進させることにより放射線防護室5を拡張し、また放射線撮影装置4を使用しない場合は、図１１に示すように前記スライド扉１９ａ，１９ｂ，１９ｃを後退させると共に収納キャビネット１Ａ，１Ｂを一方に寄せることにより放射線防護室5を縮小する拡縮自在な放射線防護室５を構成することができる。なお放射線撮影装置4は回転軸２０を中心に回動することにより使用態勢にすることができる。
【００２３】
以上、実施例１から５において放射線防護室5を拡縮自在に構成したフレキシブル歯科診療設備は、放射線防護室5を拡張することにより放射線防護室5内にて診療を可能にし、かつ患者は診療椅子に着座したまま僅か移動して放射線撮影をすることが可能となる。また放射線防護室5を縮小することにより診療室内に多目的空間を構成することができる。
【実施例６】
【００２４】
図１３及び図１４は本発明の実施例６を示し、図１３は収納キャビネットに滅菌装置を搭載し回転扉を閉止して放射線防護室を縮小した状態を示すフレキシブル歯科診療設備の平面図、図１４は収納キャビネットに滅菌装置を搭載し開き扉を開放して放射線防護室を拡大した状態を示すフレキシブル歯科診療設備の平面図である。
本実施例は、前記実施例１から５における収納キャビネット1にオゾンガス滅菌、EOGガス滅菌、紫外線滅菌、あるいは殺菌、消毒などの１ないし複数の除菌手段を搭載したものである。図１３及び図１４に示すように、収納キャビネット1に除菌手段9を搭載することにより歯科診療ユニット8を収納キャビネット1に収納した状態は器具の滅菌・消毒などができ、収納キャビネット1の開き扉７ａ，７ｂを開放して放射線防護室5を拡張した場合には拡張した室内を無菌室にすることができ、インプラントなどの手術が可能になる。
【図面の簡単な説明】
【００２５】
【図１】放射線撮影室を縮小した状態を示すフレキシブル歯科診療設備の平面図である。  （実施例１）
【図２】放射線撮影室を拡張した状態を示すフレキシブル歯科診療設備の平面図である。  （実施例１）
【図３】フレキシブル歯科診療設備における歯科診療ユニットを収納キャビネットに収納する収納方法および診療状態の説明図である。
【図４】放射線防護室を縮小した状態を示すフレキシブル歯科診療設備の平面図である。  （実施例２）
【図５】放射線防護室を拡張した状態を示すフレキシブル歯科診療設備の平面図である。  （実施例２）
【図６】放射線防護室内での放射線撮影を示す図である。  （実施例２）
【図７】放射線防護室を縮小した状態を示すフレキシブル歯科診療設備の平面図である。  （実施例３）
【図８】放射線防護室を拡張した状態を示すフレキシブル歯科診療設備の平面図である。  （実施例３）
【図９】放射線防護室を縮小した状態を示すフレキシブル歯科診療設備の平面図である。  （実施例４）  
【図１０】放射線防護室を拡張した状態を示すフレキシブル歯科診療設備の平面図である。  （実施例４）  
【図１１】放射線防護室を縮小した状態を示すフレキシブル歯科診療設備の平面図である。  （実施例５）  
【図１２】放射線防護室を拡張した状態を示すフレキシブル歯科診療設備の平面図である。  （実施例５）  
【図１３】移動キャビネットに滅菌装置を搭載し回転扉を閉止して放射線防護室を縮小した状態を示すフレキシブル歯科診療設備の平面図である。    （実施例６）
【図１４】移動キャビネットに滅菌装置を搭載し回転扉を開放して放射線防護室を拡大した状態を示すフレキシブル歯科診療設備の平面図である。    （実施例６）
【符号の説明】
【００２６】
１          収納キャビネット
２，３      放射線防護壁
４          放射線撮影装置
５          放射線防護室
６，７      開き扉
８          歯科診療ユニット
９          除菌手段
１０        バックレスト
１１        レッグレスト
１２        ドクターテーブル
１３        インスツルメントハンガ
１４        台板
１５        キャスタ
１６        床面
１７        キャスタ
１８，１９  スライド扉
２０        回転軸
【図１】
0005077869.tif 000002
【図２】
0005077869.tif 000003
【図３】
0005077869.tif 000004
【図４】
0005077869.tif 000005
【図５】
0005077869.tif 000006
【図６】
0005077869.tif 000007
【図７】
0005077869.tif 000008
【図８】
0005077869.tif 000009
【図９】
0005077869.tif 000010
【図１０】
0005077869.tif 000011
【図１１】
0005077869.tif 000012
【図１２】
0005077869.tif 000013
【図１３】
0005077869.tif 000014
【図１４】
0005077869.tif 000015